(57)【要約】      （修正有）【課題】紫外線を光触媒に照射することにより、殺菌、除黴、除浮遊菌を行なうナノメータ光触媒電子鍋の提供。【解決手段】鍋蓋11、鍋本体及び内鍋を具え、鍋蓋に貫通孔が設けられ、該鍋蓋内面の貫通孔内に、透明なシール体13が固定され、更に外部にカバーリング16が組み合わされ、該透明のシール体内に環状紫外線ランプ15或いは複数の紫外線発光ダイオードが設けられ、且つ該透明のシール体に鍋蓋の外面に覗き窓が形成され、該鍋本体の加熱収容空間に内鍋が設置され、該内鍋の内面の表面材料に、二酸化チタンの光触媒が設けられている。【選択図】図１
0003102417.tif 000002
【実用新案登録請求の範囲】
【請求項１】
鍋蓋、鍋本体及び内鍋を具え、鍋蓋に貫通孔が設けられ、該鍋蓋内面の貫通孔内に、透明なシール体が固定され、更に外部にカバーリングが組み合わされ、該透明のシール体内に環状紫外線ランプ或いは複数の紫外線発光ダイオードが設けられ、且つ該透明のシール体に鍋蓋の外面に覗き窓が形成され、該鍋本体の加熱収容空間に内鍋が設置され、該内鍋の内面の表面材料に、二酸化チタンの光触媒が設けられたことを特徴とする、ナノメータ光触媒電子炊飯器。
【請求項２】
請求項１記載のナノメータ光触媒電子炊飯器において、透明のシール体の鍋蓋の外面に位置する部分が非透明とされたことを特徴とする、ナノメータ光触媒電子炊飯器。
【考案の詳細な説明】
【技術分野】
【０００１】
本考案は、紫外線を光触媒に照射することにより、除菌、黴除去、浮遊菌除去を行なうナノメータ光触媒電子鍋に係り、電子鍋に応用され、炊飯或いは保温状態下での除菌、黴除去、浮遊菌除去を行ない、米飯を新鮮に保ち、黄変、変質、腐敗や異臭の発生を防止し、且つ鍋蓋に使用者が炊飯状況をチェックする覗き窓を設置することができ、これにより炊飯状態を掌握することができるものに関する。
【背景技術】
【０００２】
周知の電子鍋は、内部に設けられた制御回路により炊飯、保温或いはその他の食品の煮炊きの制御を行なう。それは時間、温度を制御し、使用者は特定の操作を行なうだけで理想的な炊飯、調理を行なえる。しかし周知の電子鍋は、除菌、黴除去、浮遊菌除去の設計がなく、且つ使用者の洗浄が不十分であると、伝染性の菌、黴が温度上昇により大量に発生し、調理した米飯の味を損なうだけでなく、保温状態下で黴菌や浮遊菌による感染を発生しやすく、黄変、変質、腐敗や異臭を発生する。ゆえに米飯を廃棄しなければならない状況が発生しやすい。さらに周知の電子鍋は閉じた非透明の設計とされ、且つ炊飯進行時に蓋を開くことはできず、このため炊飯状況を確認できず、一般に使用者は電子鍋上のディスプレイで時間を観察できるだけであり、真に炊飯状況を了解することはできない。
【考案の開示】
【考案が解決しようとする課題】
【０００３】
本考案の主要な目的は、紫外線を光触媒に照射することにより、除菌、黴除去、浮遊菌除去を行なう構造を電子鍋に応用し、炊飯或いは保温状態下での除菌、黴除去、浮遊菌除去を行ない、米飯を新鮮に保ち、黄変、変質、腐敗や異臭の発生を防止できるようにすることにある。
【０００４】
本考案の次の目的は、電子鍋に覗き窓を設け、使用者が炊飯状況を観察、掌握できるようにすることにある。
【課題を解決するための手段】
【０００５】
請求項１の考案は、鍋蓋、鍋本体及び内鍋を具え、鍋蓋に貫通孔が設けられ、該鍋蓋内面の貫通孔内に、透明なシール体が固定され、更に外部にカバーリングが組み合わされ、該透明のシール体内に環状紫外線ランプ或いは複数の紫外線発光ダイオードが設けられ、且つ該透明のシール体に鍋蓋の外面に覗き窓が形成され、該鍋本体の加熱収容空間に内鍋が設置され、該内鍋の内面の表面材料に、二酸化チタンの光触媒が設けられたことを特徴とする、ナノメータ光触媒電子鍋としている。
請求項２の考案は、請求項１記載のナノメータ光触媒電子鍋において、透明のシール体の鍋蓋の外面に位置する部分が非透明とされたことを特徴とする、ナノメータ光触媒電子鍋としている。
【考案の効果】
【０００６】
本考案は、紫外線を光触媒に照射することにより、除菌、黴除去、浮遊菌除去を行なうナノメータ光触媒電子鍋であり、電子鍋に応用され、炊飯或いは保温状態下での除菌、黴除去、浮遊菌除去を行ない、米飯を新鮮に保ち、黄変、変質、腐敗や異臭の発生を防止し、且つ鍋蓋に使用者が炊飯状況をチェックする覗き窓を設置することができ、これにより炊飯状態を掌握することができるものとされる。
【考案を実施するための最良の形態】
【０００７】
本考案のナノメータ光触媒電子鍋は、鍋蓋、鍋本体及び内鍋を具え、鍋蓋に貫通孔が設けられ、該鍋蓋内面の貫通孔内に、透明なシール体が固定され、更に外部にカバーリングが組み合わされ、該透明のシール体内に環状紫外線ランプ或いは複数の紫外線発光ダイオードが設けられ、且つ該透明のシール体に鍋蓋の外面に覗き窓が形成され（或いはその外面は非透明で覗き窓を設けない形態とされうる）、該鍋本体の加熱収容空間に内鍋が設置され、該内鍋の内面の表面材料に、二酸化チタンの光触媒が設けられる。
【実施例１】
【０００８】
図１から図３は、それぞれ本考案の鍋蓋内面構造表示図、組合せ表示図、及び鍋蓋外観表示図である。図示されるように、本考案な鍋蓋１１に適当な大きさの貫通孔１２が設けられ、ならびに鍋蓋１１の内面の貫通孔１２内に、貫通孔１２と等しい形状で且つやや小さい透明なシール体１３が固定され、さらに外部にカバーリング１６が設けられて内蓋とされる。前述の透明なシール体１３内に環状の紫外線ランプ１５が設けられるか、或いは複数の紫外線を発生可能な発光ダイオードが設けられ、且つこの透明のシール体１３の鍋蓋１１外面の位置に、炊飯状況を確認できる覗き窓１４が形成されている。前述の紫外線ランプ１５の電源線は主電源線に接続され、主電源が電力供給状態にある時、紫外線ランプ１５も同期に運転する（紫外線を発生可能な発光ダイオードも同様である）。また、前述の透明なシール体１３は鍋蓋１１の外面位置が非透明とされてもよく、これは覗き窓１４のない形態とされ、使用者の必要により選択される。
【０００９】
図４及び図５は、本考案の鍋本体表示図及び全体外観図である。図示されるように、本考案のナノメータ光触媒電子鍋１０は、鍋蓋１１部分に炊飯状況を観察できる覗き窓１４が設置され（或いは設置されず）、透明なシール体１３内部に紫外線ランプ１５（或いは紫外線を発生可能な複数の発光ダイオード）が設けられる。該鍋本体１７の加熱収容空間１８には内鍋１９が設置され、該内鍋１９の内面の表面材料に二酸化チタンの光触媒が設けられている。
【００１０】
本考案のナノメータ光触媒電子鍋１０を使用して炊飯する時、紫外線ランプ１５（或いは紫外線を発生可能な複数の発光ダイオード）と光触媒により、除菌、黴除去、浮遊菌除去の作用と効果が達成される。特に炊飯後の保温状態にあって、この期間に発生しやすい黴、浮遊菌による感染を防止し、米飯を新鮮に保ち、黄変、変質、腐敗や異臭の発生を防止する。
【００１１】
以上述べたように、本考案は実用性、新規性、及び進歩性を具備し、実用新案登録の要件を具備している。
【図面の簡単な説明】
【００１２】
【図１】本考案の鍋蓋内面構造表示図である。
【図２】本考案の組合せ表示図である。
【図３】本考案の鍋蓋外観表示図である。
【図４】本考案の鍋本体表示図である。
【図５】本考案の全体外観図である
【符号の説明】
【００１３】
１０  ナノメータ光触媒電子鍋          １１  鍋蓋        １２  貫通孔
１３  シール体                        １４  覗き窓      １５  紫外線ランプ
１６  カバーリング                    １７  鍋本体      １８  収容空間
１９  内鍋
【図１】
0003102417.tif 000003
【図２】
0003102417.tif 000004
【図３】
0003102417.tif 000005
【図４】
0003102417.tif 000006
【図５】
0003102417.tif 000007